(57)【要約】  【課題】  入浴芳香材を収納できて、しかも簡単に高さ調節でき、使用していないときは折り畳み可能であって、さらには方向転換できる回転機能を備えた半身浴用椅子を提案する。  【解決手段】  開閉可能な天板とパンチングメタルからなる側面板とパンチングメタルからなる底面板からなる箱体により構成されて入浴芳香材が収納可能な腰掛け本体部１と、上端が腰掛け本体部１を支持する支柱部４と、支柱部４の下端に取り付けられた脚部２１と、支柱部４に設けられて腰掛け本体部１の高さを調節する高さ調節機構と、腰掛け本体部１と支柱部４の接続部または支柱部４に設けられて腰掛け本体部１を垂直方向に傾ける折り畳み機構と、腰掛け本体部１を脚部２１に対して回転可能に支持する回転機構部とを備える。【選択図】  図１
2006296519.tif 000002
【特許請求の範囲】
【請求項１】
開閉可能な天板とパンチングメタルからなる側面板とパンチングメタルからなる底面板からなる箱体により構成されて入浴芳香材が収納可能な腰掛け本体部と、上端が前記腰掛け本体部を支持する支柱部と、該支柱部の下端に取り付けられた脚部と、前記支柱部に設けられて前記腰掛け本体部の高さを調節する高さ調節機構と、前記腰掛け本体部と前記支柱部の接続部または前記支柱部に設けられて腰掛け本体部を垂直方向に傾ける折り畳み機構と、前記腰掛け本体部を脚部に対して回転可能に支持する回転機構部とを備えたことを特徴とする半身浴用椅子。
【請求項２】
請求項１に記載の半身浴用椅子において、
前記高さ調節機構は、前記支柱をパイプ材により形成して上下分断し、一方の径を他方の径よりも太くして抜き差し可能に嵌合し、他方の支柱に上下方向適間隔に複数の小径側透孔を形成し、一方の支柱の前記小径側透孔に対応する位置に１個の大径側透孔を形成し、前記大径側透孔に前記小径側透孔のいずれか１個が合致した状態で前記両透孔に抜き差し自在に係止ピンを挿入し、該係止ピンを板ばねを介して一方の支柱に取り付けて係止ピンを前後動可能に保持するとともに係止ピンを前進方向に押圧付勢することを特徴とする半身浴用椅子。
【請求項３】
請求項１または２に記載の半身浴用椅子において、
前記折り畳み機構は、前記支柱をパイプ材により形成して上端部近くで上下分断し、上方の径を下方の径よりも太くして抜き差し可能に嵌合し、上方の支柱に下向きのヨークを形成するとともにヨーク部分に上下方向の長孔を形成し、上方の支柱に下方の支柱が嵌合した状態で前記長孔と上方の支柱を貫通して支軸を挿着し、下方の支柱の内側で前記支軸に引っ張りコイルばねの下端を係合し引っ張りコイルばねの上端を上方の支柱の内側天井部に係止し前記支軸を上方へ引き上げ付勢しておくことにより、上方の支柱と下方の支柱が嵌合している状態では腰掛け本体部が水平に保持されるとともに、上方の支柱を持ち上げて下方の支柱との嵌合を外した状態で上方の支柱の屈折を可能にしたことを特徴とする半身浴用椅子。
【請求項４】
請求項１乃至３のいずれかに記載の半身浴用椅子において、
前記回転機構部は、前記腰掛け本体部と前記支柱部の接続部または前記支柱部と前記脚部との間に設けられた軸受けから構成されるとともに、該軸受け部で互いに対向して相対的に回転する部材の一方に弓形半円状の空間を形成し、該空間に対向する他方の部材に前記空間内に突出する突起を設けることで前記軸受けの回動範囲を略１８０度としたことを特徴とする半身浴用椅子。
【請求項５】
請求項１乃至４のいずれかに記載の半身浴用椅子において、
前記腰掛け本体部の天板の上面にＥＶＡ樹脂からなるシートを貼着したことを特徴とする半身浴用椅子。
【請求項６】
請求項１乃至５のいずれかに記載の半身浴用椅子において、
前記腰掛け本体部の内部に収納される入浴芳香材は、伐採後に残された針葉樹根株を、バックホウの油圧機構に設けられたアタッチメント型木割機を用いて小木片に破砕し、破砕された小木片を香り発散材として利用者に配達されたものであることを特徴とした半身浴用椅子。
【発明の詳細な説明】
【技術分野】
【０００１】
本発明は、半身浴をする際に浴槽中で使用する半身浴用椅子に関し、詳しくは入浴芳香材を収納できて、高さ調節、折り畳み、方向転換の各機能を備えた半身浴用椅子に関する。
【背景技術】
【０００２】
近年、リラクゼーション、冷え解消、疲労回復、健康増進等の効能があるとして、半身浴が注目されている。家庭の浴槽で、半身浴をする場合は、上半身を浴槽に沈めないために、浴槽中に椅子等を置いて、そこへ腰かけて行われる。その際、入浴者の体格やお湯の量に応じて、椅子の高さを調節する必要があり、半身浴に使用される椅子は、高さ調節できることが必須であった。そのため、従来は、特許文献１に記載の半身浴用腰掛台がある。これは腰掛け本体を外筒と内筒により構成して、外筒と内筒の係合位置を調節することで高さを調節することができる。
【特許文献１】特開２００２−３００９７９号公報
【発明の開示】
【発明が解決しようとする課題】
【０００３】
しかしながら、上述した特許文献１に記載の半身浴用腰掛台は、高さを調節するための係合位置の調節操作が面倒であり、浴槽中のお湯に浸かった状態では操作性が悪かった。そこで、浴槽中で簡単に高さ調節ができる半身浴用椅子の出現が望まれていた。また、半身浴用椅子は、半身浴をしないで全身浴をする場合は邪魔であり、場所をとらず置けることが望まれていた。また、浴槽中で半身浴をしている際に、上半身の向きを変えたい場合があり、その場合には、半身浴用椅子に方向転換できるように回転機能があることが望ましい。また、半身浴をするとき、その効果を高めるために、入浴芳香材を浴槽中に入れておくことも望ましいので、省スペースで入浴芳香材を収納できる機能も備えることが望ましかった。そこで、本発明は、入浴芳香材を収納できて、しかも簡単に高さ調節でき、使用していないときは折り畳み可能であって、さらには方向転換できる回転機能を備えた半身浴用椅子を提案することを目的とした。
【課題を解決するための手段】
【０００４】
上記課題を解決するために、本発明は、開閉可能な天板とパンチングメタルからなる側面板とパンチングメタルからなる底面板からなる箱体により構成されて入浴芳香材が収納可能な腰掛け本体部と、上端が前記腰掛け本体部を支持する支柱部と、該支柱部の下端に取り付けられた脚部と、前記支柱部に設けられて前記腰掛け本体部の高さを調節する高さ調節機構と、前記腰掛け本体部と前記支柱部の接続部または前記支柱部に設けられて腰掛け本体部を垂直方向に傾ける折り畳み機構と、前記腰掛け本体部を脚部に対して回転可能に支持する回転機構部とを備えたことを特徴とする。
【０００５】
ここで、前記高さ調節機構は、前記支柱をパイプ材により形成して上下分断し、一方の径を他方の径よりも太くして抜き差し可能に嵌合し、他方の支柱に上下方向適間隔に複数の小径側透孔を形成し、一方の支柱の前記小径側透孔に対応する位置に１個の大径側透孔を形成し、前記大径側透孔に前記小径側透孔のいずれか１個が合致した状態で前記両透孔に抜き差し自在に係止ピンを挿入し、該係止ピンを板ばねを介して一方の支柱に取り付けて係止ピンを前後動可能に保持するとともに係止ピンを前進方向に押圧付勢することを特徴とする。
【０００６】
また、前記折り畳み機構は、前記支柱をパイプ材により形成して上端部近くで上下分断し、上方の径を下方の径よりも太くして抜き差し可能に嵌合し、上方の支柱に下向きのヨークを形成するとともにヨーク部分に上下方向の長孔を形成し、上方の支柱に下方の支柱が嵌合した状態で前記長孔と上方の支柱を貫通して支軸を挿着し、下方の支柱の内側で前記支軸に引っ張りコイルばねの下端を係合し引っ張りコイルばねの上端を上方の支柱の内側天井部に係止し前記支軸を上方へ引き上げ付勢しておくことにより、上方の支柱と下方の支柱が嵌合している状態では腰掛け本体部が水平に保持されるとともに、上方の支柱を持ち上げて下方の支柱との嵌合を外した状態で上方の支柱の屈折を可能にしたことを特徴とする。
【０００７】
また、前記回転機構部は、前記腰掛け本体部と前記支柱部の接続部または前記支柱部と前記脚部との間に設けられた軸受けから構成されるとともに、該軸受け部で互いに対向して相対的に回転する部材の一方に弓形半円状の空間を形成し、該空間に対向する他方の部材に前記空間内に突出する突起を設けることで前記軸受けの回動範囲を略１８０度としたことを特徴とする。
【０００８】
なお、前記腰掛け本体部の天板は、その上面にＥＶＡ樹脂からなるシートを貼着することが好ましい。さらに、前記腰掛け本体部の内部に収納される入浴芳香材は、伐採後に残された針葉樹根株を、バックホウの油圧機構に設けられたアタッチメント型木割機を用いて小木片に破砕し、破砕された小木片を香り発散材として利用者に配達されたものとすることが可能である。
【発明の効果】
【０００９】
以上述べたように本発明によれば、入浴芳香材が収納可能な腰掛け本体部は、高さ調節機構を備えたことで、板ばねに保持されている係止ピンを抜き差し操作するのみで、湯の中でも簡単に高さ調節が可能となる。これは、視力の劣る人や、視力の衰えた老人にとって、手元を確認することなく操作しても、板ばねの復元動作により、係止ピンが確実に元の場所に復帰するため、極めて操作性に優れているとともに安全でもある。また、支柱部に折り畳み機構を備えたことで、不使用のときは腰掛け本体部をワンタッチ操作で倒しておくことで邪魔にならなくなる。
【００１０】
さらに、回転機構を備えたことで、腰掛け本体部の回転が可能になるが、その範囲が略１８０度であるため、安全である。また、腰掛け本体部の天板の上面にＥＶＡ樹脂からなるシートを貼着すると、座り心地が向上する。なお、ＥＶＡ樹脂以外の素材であって、肌触りに優れたものを、使用者の好みに応じて腰掛け本体部の天板に貼着すれば、同様に、素肌にやさしい座り心地が得られる。
【００１１】
なお、腰掛け本体部の内部に収納される入浴芳香材として、伐採後に残された針葉樹根株を、バックホウの油圧機構に設けられたアタッチメント型木割機を用いて小木片に破砕し、破砕された小木片を香り発散材として利用者に配達されたものを使用すると、針葉樹根株中に含まれる成分が湯に溶けだして入浴芳香材として作用する。また、このとき伐採後に残された針葉樹根株を使用するため、産業廃棄物の有効利用が可能となる。
【発明を実施するための最良の形態】
【００１２】
以下、図に基づいて本発明の実施形態を説明する。
図１は本発明に係る半身浴用椅子の実施形態を示す正面図であり、図２は図１の右側面図であり、図３は図１の縦断面図であり、図４は図１の下端部の拡大横断面図であり、図５は折り畳み状態を示す正面図である。図１において、腰掛け本体部１は、正面からみてハート型に近い形状の箱型に形成されている。腰掛け本体部１の前面、後面および底面は、パンチングメタルからなり、浴槽中の湯が腰掛け本体部１へ流入したり流出したりすることを可能にしている。
【００１３】
なお、図示例のパンチングメタルは孔の形状が円形であるが、これは円形に限定されるものではなく、円形以外の他の形状をしたパンチングメタルを使用することも可能である。腰掛け本体部１の上部は開放されており、そこへ天板２が、左端を蝶番により結合して、上方への開閉を自在に取り付けられている。天板２の右端には、ラッチ３が取り付けられており、閉じられた状態で腰掛け本体部１に係合される。天板２の上面にはＥＶＡ樹脂からなるシートが貼着されており、浴槽内での座り心地を向上させる。なお、天板２の上面は、表面材の張替えが自在の構造にしてあるので、ＥＶＡ樹脂以外の素材で、肌触りに優れたものを、使用者の好みに応じて腰掛け本体部１の天板に貼着することが可能であり、素肌にやさしい座り心地を得ることができる。また、柔らかさ以外に、硬めの肌触りが好みの場合は、木板、竹材、小さい突起を無数に突設した樹脂板等を貼着することも可能である。
【００１４】
箱状に形成された腰掛け本体部１は、天板２を開放した状態で内部に入浴芳香材Ｍが収納される。ここで使用可能な入浴芳香材としては、整地の際に立ち木が伐採された後に残された檜、杉、松等の針葉樹根株を、バックホウの油圧機構に設けられたアタッチメント型木割機を用いて小木片に破砕し、破砕された小木片を香り発散材として利用者に配達されたものを使用することが好ましい。また、それ以外の入浴材としては、木炭、麦飯石等の鉱物、柚子、ヨモギ、松葉、その他の一般に入浴材として使用されている各種植物、果物、または漢方薬、さらには市販されている入浴剤等の使用が可能である。これらの入浴材および入浴剤は、成分等が湯に溶けてからパンチングメタルの孔を通り浴槽内に拡散していく。また、木炭の場合は、パンチングメタルの孔を通り腰掛け本体部１内に流入してきた湯に含まれる不純物等を吸着して湯を浄化する。
【００１５】
次に、この半身浴用椅子に設けられた折り畳み機構について説明する。腰掛け本体部１の下端底部は、支柱部４により支持されている。支柱部４は、互いに径が異なり、抜き差し可能な３個のパイプ５〜７から構成されている。最も大きい径をしたパイプ５は上端が腰掛け本体部１に溶接等により固着されるとともに、下端にヨーク８が形成され、そのヨーク８の部分に縦長の長孔９が穿設されている。パイプ５の内側には、パイプ５よりも、径の小さいパイプ６が抜き差し自在に嵌合されている。このパイプ６には、前記長孔９に対応する位置に直径方向に孔が形成されて、支軸１１が嵌着されている。支軸１１の両端は、長孔９内に突出しており、パイプ６を長孔９の長さ分の上下動を可能にしている。
【００１６】
支軸１１の中間部には、引っ張りコイルばね１２の下端が係合され、引っ張りコイルばね１２の上端が、パイプ６の天井面１０に垂下されている突起１３に係止されている。すなわち、この引っ張りコイルばね１２は、パイプ５とパイプ６との間に張設されて、パイプ５を下方へ引き下げ付勢して、支軸１１を長孔９の最上位に保持している。これら、パイプ５、パイプ６、ヨーク８、長孔９、支軸１１、引っ張りコイルばね１２および突起１３により折り畳み機構が構成される。
【００１７】
この折り畳み機構を作動させるには、腰掛け本体部１を上方に持ち上げ、引っ張りコイルばね１２を引き伸ばしながら、支軸１１を、相対的に長孔９内下方へスライドさせる。すると、パイプ６の上端が、ヨーク８の根元よりも下方へ現れて、パイプ５は支軸１１を中心にして、左右へ倒れることが可能になる。ここで、パイプ５を右側に倒すと、同時に腰掛け本体部１も右側に倒れて、９０度傾いて折り畳まれる。その状態が図５であり、腰掛け本体部１の右端が床面に着いて支持される。半身浴用椅子を使用しないときはこの状態に折り畳むことで場所をとることがなくなる。
【００１８】
次に、折り畳まれた半身浴用椅子を、再び使用しようとする場合は、腰掛け本体部１を引き上げ気味に保持しながら、図５の状態から反時計方向に起こす。次にパイプ５が垂直になったところで、腰掛け本体部１を下ろす。すると、パイプ６の上端が、ヨーク８の根元部からパイプ５内へ挿入されて腰掛け本体部１が水平の使用可能な状態となる。このとき、パイプ５は、引っ張りコイルばね１２により下方へ引き下げ付勢されることで、パイプ５とパイプ６の嵌合状態が保持されて安定する。また、パイプ６の上端が、パイプ５の天井面１０に当接して、腰掛け本体部１からの荷重は、パイプ６の上端に付加される。
【００１９】
次に、この半身浴用椅子に設けられた高さ調節機構について説明する。パイプ６の内側には、パイプ６よりも、径の小さいパイプ７が抜き差し自在に嵌合されている。このパイプ７には、上下方向等間隔で複数の透孔１４が一列に穿設されている。この透孔１４に対応するパイプ６の位置に、透孔１４と同径の透孔１５が１個形成されている。この透孔１４と透孔１５が一致している状態で、透孔１５側から透孔１５と透孔１４に係止ピン１６が挿入されている。このようにして、パイプ７に対するパイプ６の高さを変えて、透孔１５に合致する透孔１４を変更することで、パイプ６の高さすなわち腰掛け本体部１の高さを調節することが可能となる。
【００２０】
さらに、係止ピン１６の後端側には、板ばね１７の下端が固着され、その板ばね１７の上端が、パイプ６の表面に突設されている取り付けピン１８に固着されている。係止ピン１６の後端には、リング１９が連結されており、このリング１９に指を掛けて引っ張ると、係止ピン１６を引き抜くことができる。すなわち、腰掛け本体部１の高さを調節する場合は、リング１９に指を掛けて引き抜き、係止ピン１６の先端が少なくとも透孔１４から抜け出た状態で、腰掛け本体部１を上下動させて、パイプ６の高さを変えて、最適な高さとする。
【００２１】
次に、その高さの状態で透孔１５に最も近い透孔１４を透孔１５まで移動し、透孔１４と透孔１５が合致した状態で、リング１９を放すと、板ばね１７の復元力により係止ピン１６が前進して、透孔１４内に挿入され、パイプ６の高さすなわち腰掛け本体部１の高さが固定される。また、透孔１４内に挿入された係止ピン１６は、板ばね１７によりその位置に保持されるため、半身浴用椅子に加えられた衝撃や振動等により、係止ピン１６が透孔１４から抜け出ることが阻止される。なお、本発明における板ばね１７を用いた椅子の高さ調節機構は、全く新規なものであり、手元を確認することなく操作しても、板ばね１７の復元動作により、係止ピン１６が確実に元の場所に復帰するため、極めて操作性に優れている。特に、視力の劣る人や、視力の衰えた老人にとっては、確実に操作ができて重宝であるとともに、安全である。
【００２２】
次に、この半身浴用椅子に設けられた回転機構について説明する。図３および図４に示されるように、支柱部４を構成する最下位のパイプ７と脚部２１は、軸受けであるベアリング２２を介して接続されて、腰掛け本体部１を脚部２１に対して回転自在に支持している。パイプ７の下端２３は、ベアリング２２の内輪よりも下方へ突出して、突出している部分の略半分が切除されている。すなわち、その切除部分により、弓形半円状の空間２４が形成される。空間２４内には、脚部２１側から突起２５が突設されている。
【００２３】
その結果、腰掛け本体部１が回転されて、パイプ７の下端２３が回動されると、その空間２４が移動するが、その移動は、突起２５により制限される。このときのパイプ７の回動範囲は、空間２４と突起２５の位置関係により決まり、図示例では略１８０度となる。このように回転機構を備えたことで、腰掛け本体部１の回転が可能であり、入浴者が腰かけたままで身体の向きを変えることができるが、その回転範囲が略１８０度に制限されることで、椅子が回り過ぎてしまうことが防止され、安全性が保たれる。
【産業上の利用可能性】
【００２４】
本発明は、浴槽中で半身浴するときに使用する以外に、室内において、檜、杉、松等の針葉樹の根株から採取した芳香材の小片を腰掛け本体部内に収納して、室内にその芳香材の成分を放出させることにも利用可能である。
【図面の簡単な説明】
【００２５】
【図１】本発明に係る半身浴用椅子の実施形態を示す正面図である。
【図２】図１の右側面図である。
【図３】図１の縦断面図である。
【図４】図１の下端部の拡大横断面図である。
【図５】折り畳み状態を示す正面図である。
【符号の説明】
【００２６】
１  腰掛け本体部
２  天板
３  ラッチ
４  支柱部
５〜７  パイプ
８  ヨーク
９  長孔
１１  支軸
１２  引っ張りコイルばね
１０  天井面
１３  突起
１４、１５透孔
１６  係止ピン
１７  板ばね
１８  取り付けピン
１９  リング
２１  脚部
２２  ベアリング
２３  下端
２４  空間
２５  突起
Ｍ  入浴芳香材
【図１】
2006296519.tif 000003
【図２】
2006296519.tif 000004
【図３】
2006296519.tif 000005
【図４】
2006296519.tif 000006
【図５】
2006296519.tif 000007